(57)【要約】      （修正有）【課題】複数のアンテナを設置して電子マネー記憶媒体との通信を行う電子マネー決済装置において、利用者が使用する領域が望ましく、利用し易い装置を提供する。【解決手段】ＩＣカード、携帯電話機等の電子マネー記憶媒体と非接触で通信する通信用の、同一面に並列配置された３つのアンテナ（中央３ａ及び各側方３ｂ、３ｃ）と、３つのアンテナの互いに隣り合うアンテナ間にそれぞれ設けられ各側方アンテナ３ｂ又は３ｃの一側面と、その側方アンテナの正面の一部を覆うシールド４と、各側方アンテナ３ｂ、３ｃの正面側にそれぞれ設けられフィルター７と、アンテナ３ｂ、３ａ、３ｃのそれぞれに対応した電子マネーの種類が視覚可能な電子マネー発光表示部と、電子マネー発光表示部が表示する電子マネーを決済対象の電子マネーとして選択完了するまで案内する発光インジケータ部と、発光を制御する制御部とを具えている。【選択図】図２
2011197930.tif 000002
【特許請求の範囲】
【請求項１】
ＩＣカード、携帯電話機その他の電子マネー記憶媒体と非接触で通信する電子マネー決済装置であって、
前記電子マネー記憶媒体との通信用として同一面に並列配置された３つのアンテナと、
前記３つのアンテナの互いに隣り合うアンテナ間にそれぞれ設けられ、前記３つのアンテナのうちの各側方アンテナの一側面と、その側方アンテナの正面の一部を覆うシールドと、
前記各側方アンテナの正面側にそれぞれ設けたフィルターと、
前記３つのアンテナのそれぞれに対応した電子マネーの種類が視覚可能な電子マネー発光表示部と、
前記電子マネー発光表示部が表示する電子マネーを決済対象の電子マネーとして選択完了するまで案内する発光インジケータ部と、
前記電子マネー発光表示部の点灯を制御し、かつ前記発光インジケータの発光を制御する制御部と
を具えたことを特徴とする電子マネー決済装置。
【請求項２】
前記シールドは、側方アンテナの正面の一部を覆う第一の片と、その側方アンテナの一側面を覆う第二の片と、その側方アンテナの背面の一部を覆う第三の片とを有する断面Ｌ字状の板金を具えたことを特徴とする請求項１に記載の電子マネー決済装置。
【請求項３】
前記フィルターは、前記３つのアンテナを並べた方向に沿って形成された複数の長孔からなるスリットを設けた板金であることを特徴とする請求項１に記載の電子マネー決済装置。
【請求項４】
前記シールドと前記フィルターとが、一体的に形成されたことを特徴とする請求項１乃至請求項３のいずれか１項に記載の電子マネー決済装置。
【発明の詳細な説明】
【技術分野】
【０００１】
本発明は、電子マネー記憶媒体と非接触で通信する電子マネー決済装置であって、特に電子マネーの選択が簡単な電子マネー決裁装置に関するものである。
【背景技術】
【０００２】
近年、電子マネーによる決済は自動販売機にまで普及しており、携帯電話機を使用した電子マネーによる決済が盛んに行われている。電子マネーとは貨幣価値を有する電子データであるが、この電子マネーには多数の種類が存在し、携帯電話機、ＩＣカードその他の電子マネーが記憶された記憶媒体（以下、電子マネー記憶媒体という。）が複数種存在している。
電子マネーの種類はそれを扱う店舗を限定するので、電子マネーの種類が複数存在することは電子マネー普及の障害となっていたが、複数の電子マネーによる決済が可能な装置の開発によって、この障害は乗り越えられてきた。
例えば、従来の電子マネー決済装置には、利用者が決済時に用いる電子マネーの種類を、利用者の入力動作、たとえば選択ボタンを押す動作により選択し、選択された電子マネーに対応する決済処理プログラムを実行する電子マネー端末装置がある。この電子マネー端末装置によると、Ｅｄｙ（登録商標）、Ｓｕｉｃａ（登録商標）、Ｑｕｉｃｋｐａｙ（登録商標）などの複数種の電子マネー決済が１台の端末装置で対応することができる。
また、本願出願人においても、電子マネー決済装置のかざし部から見て、その上部に、この選択ボタンを設けた電子マネー端末を実施している。
【０００３】
しかし、上記した従来の技術では、せっかく電子マネー記憶媒体をかざし部にかざすだけで決済を行えるのに、選択しようとする電子マネーの種別を決済端末に入力する（あるいは選択ボタンを押す）といった操作が必要なので、利用者に煩わしさを起こさせ、電子マネー決済が遅延化する。
【０００４】
そこで、電子マネーの種別ごとにエリアが区分けして形成されるとともに、各エリアに対する電子マネー記憶媒体の近接操作または接触操作を受け付けるガイド部を有する操作受付手段と、前記ガイド部に形成されたエリアのうち、前記電子マネー記憶媒体の近接操作または接触操作がいずれのエリアに行われたかを特定するエリア特定手段とを備えた電子マネー決済端末が提案されている。この電子マネー決済端末によれば、利用者が決済に用いる電子マネーの種別に対応するエリアに、電子マネー記憶媒体を近接若しくは接触させれば、電子マネーの種別を指定する操作を別途行うことなく決済ができる（例えば、引用文献１参照）。
【０００５】
更に従来、複数のアンテナを設け、各アンテナにそれぞれ対応する電子マネーを設定しておき、作業者が1つのアンテナを選択して電子マネー記憶媒体をアンテナに近接させることで、電子マネー記憶媒体と通信するカードリーダーライターが提案されおり、このカードリーダーライターでは、選択されたアンテナを特定するために複数のアンテナの間に導体を設けるようにしている（たとえば、特許文献２参照）。
【０００６】
なお、従来、電子マネーの種別を選択させる電子マネー決済装置ではないが、複数の商品から利用者が購入したい商品を選択させる商品自動選択装置がある。この商品自動選択装置は、複数のアンテナを設け、各アンテナにそれぞれ対応する商品を設定しておき、作業者が1つのアンテナを選択して電子マネー記憶媒体をアンテナに近接させることで、電子マネー記憶媒体と通信する。この商品選択装置では、利用者が、購入したい商品に対応するアンテナにマネー電子記憶媒体をかざすという簡易な動作によって、商品の購入することができる（例えば、特許文献３参照）。
【先行技術文献】
【特許文献】
【０００７】
【特許文献１】特開２００９−２５８８５３号公報
【特許文献２】特開２００９−２６６０６２号公報
【特許文献３】特開２０００−２６８２３９号公報
【発明の概要】
【発明が解決しようとする課題】
【０００８】
ところで、複数の電子マネーによる決済が可能で、利用者の煩わしさの解消や電子マネー決済の迅速化を図るという課題を解消した電子マネー決済装置はすでに提案されているが（特許文献１及び特許文献２参照）、上記操作受付手段を具えた従来の電子マネー決済装置（特許文献１の図６参照）の場合、操作受付手段のガイド部を設けることが難しく、そのため電子マネー決済装置全体の製作が難しいという課題がある。この課題は、上述した複数のアンテナを設けた電子マネー決済装置によって解消できる（特許文献２、特許文献３参照）。
【０００９】
しかし、このカードリーダーライター（特許文献２参照）では、アンテナからの電磁波の拡がりによって、アンテナから離れたところでは電磁波が重なり合うので、利用者が電子マネーの種別選択に使用する領域（アンテナの感度範囲）はかざし部の表面に限られるという問題がある。
【００１０】
したがって、本願の課題は、限られた範囲内に複数のアンテナを設置して電子マネー記憶媒体との通信を行う電子マネー決済装置において、利用者が電子マネーの種別選択に使用する領域が望ましく、利用し易い電子マネー決済装置を提供することにある。
【課題を解決するための手段】
【００１１】
上述した課題を解決するため、本願請求項１の発明は、ＩＣカード、携帯電話機その他の電子マネー記憶媒体と非接触で通信する電子マネー決済装置であって、前記電子マネー記憶媒体との通信用として同一面に並列配置された３つのアンテナと、前記３つのアンテナの互いに隣り合うアンテナ間にそれぞれ設けられ、前記３つのアンテナのうちの各側方アンテナの一側面と、その側方アンテナの正面の一部を覆うシールドと、前記各側方アンテナの正面側にそれぞれ設けられたフィルターと、前記３つのアンテナのそれぞれに対応した電子マネーの種類が視覚可能な電子マネー発光表示部と、前記電子マネー発光表示部が表示する電子マネーを決済対象の電子マネーとして選択完了するまで案内する発光インジケータ部と、前記電子マネー発光表示部の点灯を制御し、かつ前記発光インジケータの発光を制御する制御部とを具えたことを特徴としている。
【００１２】
また、本願請求項２の発明は、本願請求項１の発明において、前記シールドは、側方アンテナの正面の一部を覆う第一の片と、その側方アンテナの一側面を覆う第二の片と、その側方アンテナの背面の一部を覆う第三の片とを有する断面Ｌ字状の板金を具えたことを特徴としている。
【００１３】
また、本願請求項３の発明は、本願請求項１の発明において、前記フィルターは、水平方向に沿って形成された複数の長孔からなるスリットを設けた板金であることを特徴としている。
【００１４】
また、本願請求項４の発明は、本願請求項1の発明において、前記シールドと前記フィルターとが、一体的に形成されたことを特徴としている。
【発明の効果】
【００１５】
本発明の電子マネー決済装置は、電子マネー記憶媒体と非接触で通信する電子マネー決済装置であって、電子マネー記憶媒体との通信用として同一面に並列配置された３つのアンテナと、３つのアンテナの互いに隣り合うアンテナ間にそれぞれ設けられ、３つのアンテナのうちの各側方アンテナの一側面と、その側方アンテナの正面の一部を覆うシールドと、各側方アンテナの正面側にそれぞれ設けられたフィルターと、３つのアンテナのそれぞれに対応した電子マネーの種類が視覚可能な電子マネー発光表示部と、電子マネー発光表示部が表示する電子マネーを決済対象の電子マネーとして選択完了するまで案内する発光インジケータ部と、電子マネー発光表示部の点灯を制御し、かつ発光インジケータの発光を制御する制御部とを具えているため、３つのアンテナを近づけて設置しても、それぞれのアンテナは十分な感度を保持しつつ、利用者が使用するかざし部正面に近接する箇所では、側方アンテナの感度範囲が中央アンテナの感度範囲から遠ざかるため、利用者が使用し易いという効果がある。
【００１６】
したがって、この発明により、限られた範囲内に複数のアンテナを設置して電子マネー記憶媒体との通信を行う電子マネー決済装置であって、利用者が電子マネーの種別選択に使用する領域が望ましく、利用し易い電子マネー決済装置を提供することができる。
【図面の簡単な説明】
【００１７】
【図１】図１は本願実施例１の電子マネー決済装置が自動販売機に取り付けられた状態を示す概念斜視図であって、自動販売機の正面から露出した箇所を示している。
【図２】図２は図１の電子マネー決済装置の構成のうち、アンテナ、フィルター及びシールドの構成を示す図であって、図２（ａ）はアンテナ、フィルター及びシールドの配置関係を説明する電子マネー決済装置の概念水平断面図であり、図２（ｂ）はフィルターの構成と、フィルター及びアンテナの配置関係を説明する電子マネー決済装置の概念鉛直断面図である。
【図３】図３は図１の電子マネー装置の構成を示す分解組み立て斜視図である。
【図４】図４は図１の電子マネー装置の装置本体の分解組み立て斜視図である。
【図５】自動販売機に取り付けられた図１の電子マネー決済装置の概念水平断面図である。
【図６】図６は図１の電子マネー決済装置の制御ブロック図である。
【図７】図７はフィルター及びシールドが中央アンテナおよびその両側の側方アンテナの各感度範囲におよぼす影響についての実験を説明する図であり、特に図７（ａ）はその測定方法に関して図示し、図７（ｂ）はフィルターとシールドを設けない従来の電子マネー決済装置の実験結果を示し、図７（ｃ）はフィルターとシールドを設けた本願実施例の電子マネー決済装置の実験結果を示したものである。
【図８】図８は図１の電子マネー決済装置の動作を示すフローチャートである。
【図９】図９（ａ）〜（ｇ）は図１の電子マネー決済装置の電子マネー発光表示部、発光インジケータ部及びかざし発光部の動作を示す、電子マネー決済装置の各概念正面図である。
【図１０】図１０は本願実施例２の電子マネー決済装置が自動販売機に取り付けられた様子を示す概念水平断面図である。
【発明を実施するための形態】
【００１８】
以下、この発明に係わる電子マネー決済装置を詳述する。
【実施例１】
【００１９】
図１は、本願実施例１の電子マネー決済装置が自動販売機に取り付けられた状態を示す概念斜視図であって、自動販売機１０１の正面１０１ａから露出した箇所を示している。
この実施例１の電子マネー決済装置１は、電子マネー記憶媒体８１と非接触で通信する装置であって、少なくとも３種の電子マネーＡ、Ｂ、Ｃによる決済が可能な装置である。
【００２０】
図１の電子マネー決済装置１の正面１ａには、インターフェースシール１６が配設されており、このインターフェースシール１６は、かざし部２の表面を形成するとともに、かざし部２の背面側からの光を通過させることで電子マネーの種類名称（ロゴを含む。以下同じ）が表示される電子マネー発光表示部５１と、電子マネー記憶媒体８１と通信して電子マネーの決済処理を行うとき、電子マネー表示部５１が発光によって示す電子マネーの選択の開始から決定までの状況を光によって示す為の発光インジケータ部５５とを形成している。
【００２１】
このうち、電子マネー発光表示部５１は、電子マネーＢ、Ａ、Ｃの種類名称がそれぞれ表示される発光部５３、５２、５４を具えている。
この各発光部５３、５２、５４は、インターフェースシール１６に表示され電子マネーＢ、Ａ、Ｃの各ロゴをそれぞれ囲む領域に配置され、この各領域を発光させることによって、それぞれ、電子マネーＢ、Ａ、Ｃの種類名称を表示するものである。
【００２２】
また、発光インジケータ部５５は、選択要求発光部５６、「書き込み」発光部５７、選択機能タイマー発光部５８を具えている。
このうちの選択要求発光部５６は、発光により、利用者に対し選択を要求する旨を表示する。
また、「書き込み」発光部５７は、発光により、書き込み処理が行われている旨を表示する。
選択機能タイマー発光部５８は、一列に配置された複数の発光部５８ａを具えている。
選択機能タイマー発光部５８は、自動販売機の商品販売ボタンが押圧され、これによる代金要求信号（後述）を受けた時点から、電子マネーの種別選択が機能する一定時間（以下「選択機能時間」という。）が終了するまでの経過時間を表示するものであり、この経過時間を、一端側の発光部５８ａから順次発光させ、この発光する発光部５８ａの数を１つずつ増加させることにより表示する。
【００２３】
また、インターフェースシール１６は、発光によってかざし部２の位置を示すかざし発光部５９をも形成しており、かざし発光部５９はかざし部２を囲む領域に配置されている。
【００２４】
電子マネー表示部５１の発光部５３、５２、５４、発光インジケータ部５５の選択要求発光部５６、「書き込み」発光部５７、選択機能タイマー発光部５８の各発光部５８ａおよびかざし発光部５９は、それぞれ無機ＥＬによって発光する発光部である。
なお、インターフェースシール１６には、選択機能タイマー発光部５８の各発光部５８ａの発光数が、選択機能時間の終了までの経過時間を示している旨が表示されている。
【００２５】
図２は、図１の電子マネー決済装置の構成のうち、アンテナ、フィルター及びシールドの構成を示す図である。図２（ａ）はアンテナ、フィルター及びシールドの配置関係を説明する電子マネー決済装置の概念水平断面図であり、図２（ｂ）はフィルターの構成と、フィルター及びアンテナの配置関係を説明する電子マネー決済装置の概念鉛直断面図である。なお、図２乃至後述する図１０では、図１と同一部分を同一符号を用いて図示している。
図２（ａ）で示すように、電子マネー決済装置１には、かざし部２の背面側に、電子マネー記憶媒体８１との通信用の３つのアンテナ３ｂ、３ａ、３ｃが設けられている。この３つのアンテナ３ｂ、３ａ、３ｃは、図２（ｂ）で示すように同一面上に並列配置されたアンテナであり、同一種のアンテナである。
また、３つのアンテナ３ｂ、３ａ、３ｃは、これらのうち中央に位置するアンテナ３ａ（以下「中央アンテナ」という。）と、中央アンテナとそれぞれ隣り合う２つのアンテナ３ｂ、３ｃ（この各アンテナを「側方アンテナ」という。）からなる。
この一方の側方アンテナ３ｂ、中央アンテナ３ａ、および他方の側方アンテナ３ｃは、電子マネーＢ、ＡおよびＣ（図１参照）にそれぞれ対応して設けられている。
また、図２（ａ）のＲ２、Ｒ１、Ｒ３は、それぞれ電子マネー記録媒体８１に記録された電子マネーＢ、Ａ、Ｃを検出可能な領域を示し、互いに重ならない様に設定されていることを示している。
これにより、電子マネー記録媒体８１がＲ２の領域にあると側方アンテナ３ｂによって電子マネーＡを検出し、Ｒ１の領域にあると中央アンテナ３ａによって電子マネーＢを検出し、Ｒ３の領域にあると電子マネーＣを検出することができる。
【００２６】
また、この電子マネー決済装置１は、図２（ａ）で示すように３つのアンテナ３ｂ、３ａ、３ｃの互いに隣り合うアンテナ間に、シールド４がそれぞれ設けられている。この各シールド４は、少なくとも断面Ｌ字状の板金を具えて構成されている。
【００２７】
また、図２（ａ）及び図２（ｂ）で示すように、側方アンテナ３ｂ、３ｃの各正面側に、フィルター７がそれぞれ設けられている。この各フィルター７は、側方アンテナ３ｂ又は３ｃの正面を間隔を隔てて覆っている。
各フィルター７は、図２（ｂ）で示すように複数のスリット８を設けた板金である。この各スリット８は板金に形成された長孔からなる。各スリット８は、その長手方向が３つのアンテナ３ｂ、３ａ、３ｃを並べた方向である水平方向に沿って形成されている。また、複数のスリット８は鉛直高さ方向に並べて形成されている。
【００２８】
また、各フィルター７の横幅Ｗ１は、各側方アンテナ３ｂ、３ｃの横幅Ｄの、少なくとも２倍の大きさである（Ｗ１≧２×Ｄ）。また、各フィルター７には、その横幅方向の両側に、スリット８が形成されていない端部７ａ、７ｂが形成されている。この端部７ａ、７ｂのうち中央アンテナ３ａ側に位置する端部７ａは、側方アンテナ３ｂ、３ｃの、横幅方向の中央アンテナ側の端１０ａをシールド４を介し覆っており、また各スリット８は、フィルター７により覆われる側方アンテナ３ｂ、３ｃの横幅を超えた位置まで達している。そして、フィルター７の中央アンテナ３ｃとは反対側に位置する端部７ｂの横幅Ｗ３は端部７ａの横幅Ｗ２よりも小さくされている。さらに、この実施例の電子マネー決済装置１の各フィルター７および各スリット８は、ケース１３（後述）の外側まで延設されている。
また各フィルター７および各シールド４は、その各高さが、いずれも各アンテナ３ｂ、３ａ、３ｃの高さｈを超える高さに設定されている。なお、図２（ｂ）では、各フィルター７の高さＨがアンテナの高さｈを超えている点を図示している。
【００２９】
次に、この電子マネー決済装置１のより詳細な構成について説明する。
図３は図１の電子マネー装置の構成を示す分解組み立て斜視図である。
図３で示すように、電子マネー決済装置１は、３つのアンテナ３ｂ、３ａ、３ｃと各シールド４が収容された装置本体１１と、接着シート１５と、フィルター７と、インターフェースシール１６とを具えている。
【００３０】
装置本体１１は、その分解組み立て斜視図である図４で示すように、ベース１４が取り付けられた本体１２と、その正面側を覆うケース１３とを具えている。このベース１４に各シールド４を取り付け、さらにベース１４に側方アンテナ３ｂ、中央アンテナ３ａおよび側方アンテナ３ｃを取り付ける。そして、ベース１４、３つのアンテナ３ｂ、３ａ、３ｃおよび各シールド４をケース１３で覆い、該ケース１３を本体部１２に固定すると、装置本体１１を組み立てることができる。
【００３１】
また、組み立てた装置本体１１を、図３で示すように、自動販売機１０１の正面１０１ａの背面側に配置するとともに、ケース１３を自動販売機１０１の正面１０１ａの孔１０１ｂに臨ませ、装置本体１１を正面１０１ａに取り付ける。またこの正面１０１ａに接着シート１５とを配置し、その接着シート１５の正面にフィルター７を配置する。さらにフィルター７の正面にインターフェースシール１６を配置する。すると、電子マネー決済装置１を組み立てて自動販売機１０１に取り付けることができる。
なお、接着シート１５にはその両面に接着剤が塗布されている。また、インターフェースシール１６は背面に接着剤が塗布されたシートである。なお、符号１５ｂは、接着シート１５を自動販売機１０１に取り付ける際、自動販売機１０１の孔１０１ｂに位置決め合致される接着シート１５の孔である。
【００３２】
図５は、自動販売機に取り付けられた図１の電子マネー決済装置の概念水平断面図である。
図５で示すように、各シールド４は、側方アンテナ３ｂ又は３ｃの正面の一部を覆う第一の片４ａと、その側方アンテナ３ｂ又は３ｃの一側面を覆う第二の片４ｂと、その側方アンテナ３ｂ又は３ｃの背面の一部を覆う第三の片４ｃとを具えている。  
また、このうちの第二の片４ｂは、第一の片４ａと第三の片４ｃとを連結しており、第二の片４ｂは中央アンテナ３ａと一方の側方アンテナ３ｂ間、およびに中央アンテナ３ａと他方の側方アンテナ３ｃとの間にそれぞれ配置される。
また、各第二の片４ｂは、一方の表面で側方アンテナ３ｂ又は３ｃの一側面を覆い、他方の表面で中央アンテナ３ａの一側面を覆う。また、中央アンテナ３ａは、その横幅方向の両側面を、２つの側方アンテナ３ｂ及び３ｃの各第二の片４ｂに挟まれる。
また、第一の片４ａによって覆われる側方アンテナ３ｂ又は３ｃの正面の一部には、側方アンテナ３ｂ又は３ｃの、中央アンテナ３ａが配置されている側の端１０ａが含まれており、この端１０ａから側方アンテナ３ｂ又は３ｃの正面の一部が第一の片４ａによって覆われる。
また、第三の片４ｃによって覆われる側方アンテナ３ｂ又は３ｃの背面の一部には、側方アンテナ３ｂ又は３ｃの、中央アンテナ３ａが配置されている側の端１０ｂが含まれており、この端１０ｂから側方アンテナ３ｂ又は３ｃの背面の一部が第三の片４ｃによって覆われる。
なお、第一の片４ａ、第二の片４ｂ、第三の片４ｃは、それぞれが覆っている側方アンテナ３ｂ又は３ｃと中央アンテナ３ａとから間隔を隔てて配置されている。
なお、中央アンテナ３ａの正面および背面は、シールド４によって覆われることはない。
【００３３】
図６は図１の電子マネー決済装置の制御ブロック図である。
この電子マネー決済装置１０１は、その装置本体１１内に、図６で示すように電子マネー記憶媒体８１と通信を行う通信部３１を具えている。
この通信部３１は、３本のアンテナ３によって電子マネー記憶媒体８１を検出し、また検出した電子マネー記憶媒体８１に記憶された利用可能な電子マネーの種別を検出する。なお、通信部３１は、３本のアンテナ３ｂ、３ａ、３ｃが接続されたアンテナコントロールボードを具えてなる。
【００３４】
次に、フィルター４及びシールド７が、中央アンテナ３ａおよびその両側の側方アンテナ３ｂ、３ｃの各感度範囲におよぼす影響を、図７で示すように実験によって確認した。
図７は、フィルター４及びシールド７が中央アンテナ３ａおよびその両側の側方アンテナ３ｂ、３ｃの各感度範囲におよぼす影響についての実験を説明する図であり、このうち図７（ａ）は特にその測定方法に関して図示したものである。
この実験は、電子マネー記憶媒体８１の一例である携帯電話機が、中央アンテナ３ａおよびその両側の側方アンテナ３ｂ、３ｃのそれぞれと通信が成立するのは、携帯電話機が、３つのアンテナ３ａ、３ｂ、３ｃに対しどの配置にかざされたかを調べるものである。その配置を調べる基準として中央アンテナ３ａの中心位置Ｏ（中央アンテナ３ａの横幅の中心でありかつ高さの中心位置）を用いた。
【００３５】
より具体的には、図７（ａ）で示すように、中央アンテナ３ａの中心位置Оと携帯電話機の中心位置Ｐとの間の横幅方向の距離（アンテナの幅方向の距離）Ｘ、およびその測定値Ｘにあるアンテナ３ｂ、３ａ、３ｃと携帯電話機との間に通信が成立する、中央アンテナ３ａの中心Оと携帯電話機の中心Ｐとの間の奥行方向の距離Ｙを測定した。
なお、中央アンテナ３ａの正面と側方アンテナ３ｂ、３ｃの各正面は同一の平面上に並列配置されている。また、中央アンテナ３ａと側方アンテナ３ｂ、３ｃは同一種のアンテナである。
【００３６】
図７（ｂ）はフィルターとシールドを設けない場合の電子マネー決済装置の実験結果を示し、図７（ｃ）はフィルターとシールドを設けた本願実施例の電子マネー決済装置の実験結果を示したものである。そして、図中３０ａ、３０ｂ、３０ｃはそれぞれ中央アンテナ３ａ、一方の側方アンテナ３ｂ、他方の側方アンテナ３ｃの感度範囲を示している。
図７（ｂ）に示すように、フィルター７とシールド４を設けない場合には、感度範囲３０ａと感度範囲３０ｂの重なり、感度範囲３０ａと感度範囲３０ｃの重なりがそれぞれ大きい。これらの各重なりに比べ、図７（ｃ）で示すように、フィルター７とシールド４とを設けた場合には、感度範囲３０ａと感度範囲３０ｂとの重なり、感度範囲３０ａと３０ｃとの重なりはそれぞれ小さい。
これは、シールド４によって隣り合うアンテナ同士の干渉、すなわち中央アンテナ３ａと一方の側方アンテナ３ｂの干渉又は隣り合う中央アンテナ３ａと他方の側方アンテナ３ａの干渉を防ぎ、フィルター７によって感度範囲３０ｂ、又は３０ｃを全体的に狭くし且つ中央アンテナ３ａから遠ざかる方向に感度範囲３０ｂ又は３０ｃが変わっていることを示している。
【００３７】
このように、この電子マネー決済装置１では、シールド４が、３つのアンテナ３ｂ、３ａ、３ｃの互いに隣り合うアンテナ間にそれぞれ設けられるとともに、この各シールド４が、少なくとも、各側方アンテナ３ｂ又は３ｃの一側面と、その側方アンテナ３ｂ又は３ｃの正面の一部を覆っているから、隣り合うアンテナ同士の感度範囲の干渉を可及的に防ぐことができる。  
より具体的には、側方アンテナ３ｂからの電磁波による感度範囲３０ｂ又は側方アンテナ３ｃからの電磁波による感度範囲３０ｃが、中央アンテナ３ａからの電磁波による感度範囲３０ａに干渉することを可及的に防ぐことができる。
特に、利用者が使用するかざし部２の正面に近接する箇所では、該正面から離れた箇所に比べて隣り合うアンテナ同士の感度範囲の干渉防止効果が大きい。
【００３８】
また、この電子マネー決済装置１では、各側方アンテナ３ｂ、３ｃの正面側にそれぞれ２つのフィルター７を設けているから、各フィルター７を設けない場合に比べ、各感度範囲３０ｂ、３０ｃをそれぞれ全体的に狭くし且つ中央アンテナ３ａの感度範囲３０ａから遠ざかる方向に感度範囲を変えることができる。
【００３９】
従来、仮に３つのアンテナ３ｂ、３ａ、３ｃを設置した電子マネー決済装置を創作しようとすると、図７（ｂ）のように、利用者が使用するかざし部正面に近接する箇所では、隣り合うアンテナ同士の感度範囲の干渉が生じ、これを防止するためには、アンテナ３ｂ、３ａ、３ｃを互いに離して配置する必要がある。
これに対し、本願発明の電子マネー決済装置１では、上記したように、シールド４とフィルター７を具えているから、３つのアンテナ３ｂ、３ａ、３ｃを互いに近づけて設置しても、各アンテナ３ｂ、３ａ、３ｃは十分な感度を保持しつつ、利用者が使用するかざし部２の正面に近接する箇所では、各側方アンテナ３ｂ、３ｃの感度範囲３０ｂ、３０ｃが中央アンテナ３ａの感度範囲３０ａから遠ざかることで、利用者が使用し易くできる。
そのため、この発明によれば、限られた範囲内に複数のアンテナ３ａ、３ｂ、３ｃを設置して電子マネー記憶媒体８１との通信を行う電子マネー決済装置１において、利用者が電子マネーの種別選択に使用する領域（各アンテナ３ａ、３ｂ、３ｃの感度範囲）が望ましいものとなり、利用し易い電子マネー決済装置を提供することができる。
【００４０】
またさらに、この実施例の電子マネー決済装置１のように、シールド４を、各側方アンテナ３ｂ又は３ｃの正面の一部を覆う第一の片４ａと、その側方アンテナ３ｂ又は３ｃの一側面を覆う第二の片４ｂと、その側方アンテナ３ｂ又は３ｃの背面の一部を覆う第三の片４ｃを有する断面Ｌ字状の板金を具えたものとすれば、第三の片４ｃは上述した第一の片４ａと同様に隣り合うアンテナ同士の感度範囲の干渉を可及的に防ぐ効果を生じさせるため、第三の片４ｃを具えていないシールド４に比べてこの干渉を防ぐ効果を一層高めることができる。
【００４１】
さらに、この実施例の電子マネー決済装置１のように、シールド４を、各側方アンテナ３ｂ又は３ｃの正面の一部を覆う第一の片４ａと、その側方アンテナ３ｂ又は３ｃの一側面を覆う第二の片４ｂと、その側方アンテナ３ｂ又は３ｃの背面の一部を覆う第三の片４ｃを有する断面Ｌ字状の板金を具えたものとすれば、シールド４の第一の片４ａ第二の片４ｂ及び第三の片４ｃを個々にベース１４に取り付ける場合に比べて、シールド４の取り付けが簡単となる。なお、第三の片４ｃはベース１４に沿って配置され、シールド４をベース１４に取り付けるための取付部としても機能するので、この第三の片４ｃがあると、シールド４のベース１４への取り付けが一層簡単となる。
【００４２】
なお、上述したように、この電子マネー決済装置１では、フィルター７によって各側方アンテナ３ｂ、３ｃの感度範囲３０ｂ、３０ｃを、中央アンテナ３ａの感度範囲３０ａから遠ざかる方向に変えることができるが、これは、特にフィルター７が複数の長孔からなるスリット８を設けた板金であって、各スリット８が３つのアンテナ３ｂ、３ａ、３ｃを並べた方向に沿って形成されているので、各側方アンテナ３ｂ、３ｃからの電磁波が、その側方アンテナの正面側を覆うフィルター７の各スリット８の形成方向（長手方向）である水平方向に沿ってガイドされ、これにより、各電磁波による感度範囲３０ｂ、３０ｃが中央アンテナ３ａの感度範囲３０ａから遠ざかる方向に変わることによるものである。
【００４３】
ただし、この電子マネー決済装置１では、図７（ｃ）で示すように、中央アンテナ３ａと各側方アンテナ３ｂ、３ｃの感度範囲とが重なる部分は、少ないが存在する。この感度範囲が重なる部分では、中央アンテナ３ａと側方アンテナ３ｂの双方が携帯電話機等の電子マネー記憶媒体８１を検出し、又は中央アンテナ３ａと側方アンテナ３ｃの双方が電子マネー記憶媒体８１を検出する。そこで、この場合には、制御部４１（後述）が、中央アンテナ３ａによる検出結果を、各側方アンテナ３ｂ、３ｃによる検出結果よりも優先させ、中央アンテナ３ａによって電子マネー記憶媒体８１が検知されたとみなす。
図２（ａ）には、このみなし処理によって、中央アンテナ３ａによる電子マネー記憶媒体８１の検出があったとみなされる感度範囲Ｒ１、側方アンテナ３ｂによる電子マネー記憶媒体８１の検出があったとみなされる感度範囲Ｒ２および側方アンテナ３ｃによる電子マネー記憶媒体８１の検出があったとみなされる感度範囲Ｒ３で図示しており、これら感度範囲Ｒ１、Ｒ２、Ｒ３が互いに重らない様子が概念的に表されている。
【００４４】
次に本実施例の電子マネー決済装置１の動作について説明する。
図６に示す通信部３１のアンテナコントロールボードは、３つのアンテナ３ｂ、３ａ、３ｃのうちいずれか一つのアンテナを、電子マネー記憶媒体８１の位置を検出するためのアンテナとするアンテナの切り替え動作を行っている。この検出のためのアンテナとして、側方アンテナ３ｂ、中央アンテナ３ａ、側方アンテナ３ｃを一定時間おきに順次切り替えるが、このアンテナ３ｂ→３ａ→３ｃの切り替えを１サイクルとして、そのサイクルを繰り返し行っている。
【００４５】
また、電子マネー決済装置は、通信部３１によって検出した結果を受け付ける制御部４１を具えている。制御部４１は、受け付けた検出結果から、３つのアンテナ３のうちどのアンテナによって電子マネー記憶媒体８１を検出したか、および検出した電子マネーの種別はＡ、Ｂ、Ｃのいずれに該当するか、利用可能な電子マネーは存在するか又は利用可能な電子マネーは複数あるか等を判断する。
【００４６】
また、制御部４１は、電子マネーの種別が選択されたと判断したときは、その選択された電子マネー記憶媒体８１の種別Ａ、Ｂ、Ｃに対応した各決済アプリケーションを実行し、またその実行に基づき、決済処理を行う。
また制御部４１は、電子マネー記憶媒体８１に対して情報の書き込み処理を行うリーダライタ部（図示しない）を具えており、決済状況により、このリーダライタ部に、通信部３１を介して決済情報の書き込み処理を行わせる。
【００４７】
また、制御部４１は、決済処理状況や通信部３１からの検出結果等に基づきスピーカー部３３を制御する。
【００４８】
また、制御部４１は、決済処理状況や通信３１からの検出結果等に基づき、電子マネー発光表示部５１の発光、発光インジケータ部５５の発光、かざし発光部５９の発光を制御する。
【００４９】
また、スピーカー部３３は、スピーカーを具えてなり、制御部４１の指示により、決済処理状況や通信部３１からの検出結果等を、スピーカー音の発生またはその停止によって利用者に案内する。
【００５０】
電子マネー発光表示部５１は、３つのアンテナのそれぞれに対応した電子マネーの種類Ｂ、Ａ、Ｃを各発光によって視覚可能にしている。
この電子マネー発光表示部５１は、制御部４１の指示により、通信部３１からの検出結果等を、電子マネーＢ、Ａ、Ｃに対応する各発光部５３、５２、５４の発光又はその停止を行うことによって利用者に案内する。
【００５１】
また、発光インジケータ部５５は、電子マネー発光表示部５１が表示する電子マネーを決済対象の電子マネーとして選択完了するまで案内するものである。
この発光インジケータ部５５は、制御部４１の指示により、決済処理状況を、選択要求発光部５６、「書き込み」発光部５７、選択機能タイマー発光部５８の各発光部５８ａの各発光又はその停止を、それぞれ行うことによって、利用者に案内する。  
【００５２】
また、かざし発光部５９は制御部４１の指示により、決済処理状況又は検出結果等を、かざし部２を囲む領域５９の発光又はその停止によって、利用者に案内する。
【００５３】
次に、電子マネー決済装置１の動作を、フローチャートを用いて説明し、併せて構成をより詳細に説明する。
図８は図１の電子マネー決済装置の動作を示すフローチャートであり、図９（ａ）〜（ｇ）は、図１の電子マネー決済装置の電子マネー発光表示部、発光インジケータ部及びかざし発光部の動作を示す、電子マネー決済装置の各概念正面図である。
【００５４】
図８で示すように、まず自動販売機に電子マネー決済装置１を搭載した場合、電子マネー決済装置１は、決済処理を停止しているスタンバイモードであり（ステップＳ１０１）、図９（ａ）で示すように、かざし発光部５９と、電子マネーＢ、Ａ及びＣに対応する各電子マネー発光表示部５１の発光部５３、５２および５４、選択要求発光部５６（図９（ｂ）参照）、「書き込み」発光部５７（図９（ｂ）参照）及び選択機能タイマー発光部５８の各発光部５８ａ（図９（ｅ）参照）は、発光していない。
このスタンバイモードにおいて、自動販売機の商品選択ボタンが押されると、制御部４１は、図示しない自動販売機の制御部から商品選択ボタンの押下によって選択された商品（ジュース等）の代金要求信号を受信し、その代金要求信号に基づいて電子マネーの決済処理（決済モード）が開始する。
まず、この電子マネー決済処理の一処理として、上記した代金要求信号に基づき、通信部３１は、代金要求信号を受けた時点からの経過時間の測定を開始し（ステップ１０２）、通信部３１は通信を開始する。この通信では、電子マネー記憶媒体８１の位置を検出するための複数のアンテナをアンテナ３ｂ→３ａ→３ｃの順で順次切り替える上記サイクルを行う（ステップ１０３）。
なお、上記した経過時間の測定の開始は、選択機能時間のカウントダウンに用いられる。
【００５５】
また、上記した代金要求信号に基づき、図９（ｂ）で示すように、かざし発光部５９が発光し、電子マネー発光表示部５１の電子マネーＢ、Ａ及びＣに対応する各発光部５３、５２および５４が発光する。
【００５６】
また、制御部４１は、選択機能時間内に、アンテナにおいて通信できる電子マネー記憶媒体８１があるか否かのチェックを行う（ステップ１０４）。
このチェックで、各アンテナにおいて通信出来る電子マネー記憶媒体８１の電子マネーが検出されないときは（ステップ１０４でＮＯ）、選択機能時間に達したか（タイムアウトしたか）否かを判断し（ステップ１０５）、選択機能時間に達していない場合はステップ１０３に戻る。一方、ステップ１０５で選択機能時間に達したと判断した場合は、決済処理が出来なかった旨の信号を自動販売機の制御部へ送出し（ステップ１０６）、決済処理を停止して、スタンバイモードに戻る（ステップ１０１）。
【００５７】
また、ステップ１０４で制御部４１は選択機能時間内に、通信できる電子マネー記憶媒体８１の電子マネーが検知されたと判断したときは（ステップ１０４でＹＥＳ）、電子マネー記憶媒体８１に、決済状況に基づき、利用可能な電子マネーがあるか否か、及びその利用可能な電子マネーの種別を特定する。そして、この利用可能な電子マネーが複数あるか否かを判断する（ステップ１０７）。  
そして、この判断によって、利用可能な電子マネーが複数でないと判断したときは（ステップ１０７でＮＯ）、さらに、利用可能な電子マネーがあるか否かを判断し（ステップ１０８）、利用可能な電子マネーがない場合には（ステップ１０８でＮＯ）、決済処理が出来なかった旨の信号を自動販売機の制御部へ送出し（ステップ１０６）、決済処理を停止して、スタンバイモード（ステップ１０１）に復帰する。
【００５８】
一方、ステップ１０８で制御部４１が利用可能な電子マネーがある場合には（ステップ１０８でＹＥＳ）、利用可能な電子マネーが１種類であると判断し、選択機能時間の終了を待たずに、その検出した電子マネー記憶媒体８１の種別Ｂ、Ａ、Ｃに対応した決済アプリケーションを自動的に実行し、決済状況により電子データ記憶媒体８１に対し決済情報の書き込み処理を行わせる（ステップ１０９）。
たとえば、図９（ｃ）で示すように、かざし部２にかざれた電子マネー記憶媒体８１が１種類の電子マネーＢが記憶されたカードであって、この電子マネーＢを検出した場合には、制御部４１は、その電子マネーＢが自動的に選択されたと判断し、選択機能時間の終了を待たずに、この電子マネーの種別Ｂに対応した決済アプリケーションを自動的に実行し、決済状況によって、このカードに対し決済情報の書き込み処理を行わせる（ステップ１０９）。
また、電子マネー記憶媒体８１が携帯電話機であって、この携帯電話機で利用可能な電子マネーが１種類、たとえば電子マネーＢであると制御部４１が判断した場合にも、制御部４１は、ステップ１０９の処理を行う。
また、決済情報の書き込み処理（ステップ１０９）の終了後は、制御部４１は、その処理結果である決済情報の書き込み処理を終了した旨の信号を自動販売機の制御部に送信し（ステップ１０６）その後、スタンバイモードに復帰する（ステップ１０１）。なお、ステップ１０８において、検出した電子マネーの種類が１種類のときは、いずれのアンテナが検出してもステップ１０９の処理を行う。
また、自動販売機の制御部は、ステップ１０６での、この処理結果の信号を受信して商品排出口から商品を排出させる。
【００５９】
また、ステップ１０９の決済処理の際、図９（ｃ）で示すように、かざし発光部５９および選択された電子マネーＢに対応する電子マネー発光表示部５３が発光し、選択されなかった電子マネーＡ及びＣに対応する各電子マネー発光表示部５２、５４は発光しない。また、「書き込み」発光部５７は発光して書き込み処理が行われている旨を表示させる。また、選択要求発光部５６（図９（ｂ）参照）および選択機能タイマー発光部５８の各発光部５８ａ（図９（ｅ）参照）は発光しない。
【００６０】
一方、ステップ１０７において、制御部４１が利用可能な電子マネーの種別を検知した結果、検知した電子マネーの種別が複数であると判断したときには（ステップ１０７でＹＥＳ）、通信しているアンテナの位置から決済する電子マネー記憶媒体８１の電子マネーの種別を判定し（ステップ１１０）、選択機能時間が終了していない場合には（ステップ１１１でＮＯ）、この電子マネーの種別の判定処理（ステップ１１０）へ戻る。
【００６１】
また、ステップ１１０の判定の際、制御部４１は、その判定の時点で判定された電子マネーの種別が、決済する電子マネーとして選択されたと判断し、その選択された電子マネーに対応する１つの電子マネー発光表示部５３、５２又は５４と、選択要求発光部５６（図９（ｂ）参照）とかざし発光部５９とが発光し、選択されなかった電子マネーに対応する各電子マネー発光表示部は発光しない。また、「書き込み」発光部５７は発光しない。
たとえば、図９（ｄ）で示すように、電子マネー記憶媒体８１が、正面１ａからみて、電子マネーＡに対応する中央の位置にかざされて、携帯電話機がアンテナ３ａと通信し、その結果ステップ１１０において選択され決済すべき電子マネーが電子マネーＡであると判断し、その電子マネーＡに対応する電子マネー発光表示部５２、選択要求発光部５６およびかざし発光部５９が発光する。また、選択されなかった電子マネーＢ及びＣに対応する各電子マネー発光表示部５３、５４は発光しない。また、「書き込み」発光部５７は発光しない。
また、制御部４１がこの判定を行っている選択機能時間内では、制御部４１は、利用者による電子マネーの種別選択の変更を受け付けている。  
たとえば、電子マネー記憶媒体８１のかざし位置が、正面１ａからみて、図９（ｄ）で示すように電子マネーＡが選択された中央の位置から３つのアンテナを並べた方向に沿って一側方（たとえば左位置）へ動くと、携帯電話機が通信するアンテナが中央アンテナ３ａから側方アンテナ３ｂに変更され、その結果、ステップ１１０において決済する電子マネーの選択が、電子マネーＡから電子マネーＢに変更される。この変更に基づき、図９（ｅ）で示すように、選択前の電子マネーＡに対応する電子マネー発光表示部５２の発光が停止するとともに、選択後の電子マネーＢに対応する電子マネー発光表示部５３が発光する。また、かざし発光部５９および選択要求発光部５６は発光を維持し、「書き込み」発光部５７は発光しない。
【００６２】
また、選択機能タイマー発光部５８の各発光部５８ａは、選択機能時間終了までの間、図９（ｆ）で示すようにその時間の経過とともに、その一端側の各発光部５８ａから１つずつ追加的に発光する。
【００６３】
そして、ステップ１１１において、この選択機能時間が終了した場合には（ステップ１１１でＹＥＳ）、選択機能時間の終了時点で通信しているアンテナの位置から決済する電子マネーを判断し、この電子マネーの種別に対応する決済アプリケーションを実行し、決済状況によって、データ記憶媒体８１に対し決済情報の書き込み処理を行う（ステップ１１２）。
なお、選択機能時間経過後の電子マネーの選択変更は受け付けない。
たとえば選択機能時間が終了した時点で、図９（ｇ）で示すように、携帯電話機がアンテナ３ｂと通信していた場合、決済する電子マネーとして電子マネーＢが選択されたと判断し、この電子マネーＢに対応する決済アプリケーションを実行し、決済状況によって、電子マネー記憶媒体８１に対し決済情報の書き込み処理を行う。
【００６４】
また、ステップ１１２の決済処理の際、電子マネー発光表示部５１の発光部５３、５２および５４のうち、選択機能時間が終了した時点の判定により、決済する電子マネーとして選択された電子マネーの種別に対応する１つの発光部５３、５２又は５４が発光し、選択されなかった電子マネーの種別に対応する発光部は発光しない。
たとえば、図９（ｇ）で示すように、選択機能時間が終了した時点の判定により、決済する電子マネーの種別として選択された電子マネーが電子マネーＢであるときは、その時点で選択された電子マネーの種別Ｂに対応する発光部５３が発光し、選択されなかった電子マネーの種別ＡおよびＣに対応する発光部５２及び５４（図９（ｂ）参照）は、発光しない。
また、かざし発光部５９および選択要求発光部５６は各発光を維持する。
また、選択機能時間終了によって、図９（ｇ）で示すように、選択機能タイマー発光部５８を構成するすべての発光部５８ａが発光し、その後、ステップ１１２の決済処理の際、「書き込み」発光部５７が発光して書き込み処理が行われている旨を表示する。
なお、選択されなかった電子マネーＡ及びＣに対応する各電子マネー発光表示部５２、５４は、各発光の停止を維持する。
このステップ１１２の実行による決済情報の書き込み処理の終了後は、その処理結果である書き込みが終了した旨の信号を自動販売機の制御部へ送信し（ステップ１０６）その後、スタンバイモードに復帰する（ステップ１０１）。  
なお、自動販売機の制御部は、ステップ１０６でのこの処理結果の信号を受信して商品排出口から商品を排出させる。
【００６５】
この電子マネー決済装置１では、３つのアンテナのそれぞれに対応した電子マネーの種類Ａ、Ｂ、Ｃが視覚可能な電子マネー発光表示部５１と、電子マネー発光表示部５１が表示する電子マネーを決済対象の電子マネーとして選択完了するまで案内する発光インジケータ部５５と、電子マネー発光表示部５１の点灯を制御し、かつ発光インジケータ５５の発光を制御する制御部４１とを具えているから、これを設けない従来のものに比べ、利用者が電子マネー記憶媒体８１をかざした際に、どの電子マネーの種別を選択した状態にあるのかを容易に確認でき、電子マネー選択の操作を誤るおそれを可及的に少なくすることができる。
【００６６】
さらに、この電子マネー決済装置１では、選択機能タイマー発光部５８を設けているので、利用者が選択機能時間を把握することができ、これを設けない従来のものに比べ、利用者が電子マネー選択の操作を誤るおそれを可及的に少なくすることができる。
【００６７】
なお、実施例１の電子マネー決済装置１では、電子マネー表示部５１の発光部５３、５２、５４、発光インジケータ部５５の選択要求発光部５６、「書き込み」発光部５７、選択機能タイマー発光部５８の各発光部５８ａおよびかざし発光部５９は、それぞれ無機ＥＬによって発光する発光部であることとしたが、これに限定されず、これら各発光部は、インターフェースシール１６上から発光を視覚的に確認できる発光体で構成されていればよく、有機ＥＬによって発光する発光部で構成してもよい。
【００６８】
なお、実施例１の電子マネー決済装置１では、シールド４とフィルター７とを分離可能な別個独立の部品としたが、この発明の電子マネー決済処理装置に用いるシールド４とフィルター７は、これに限定されない。
【実施例２】
【００６９】
図１０は本願実施例２の電子マネー決済装置が自動販売機に取り付けられた様子を示す概念水平断面図であり、図１０では図１乃至図９と同一部分を同一符号で示している。
実施例２の電子マネー決済装置６１は、第１実施例の電子マネー決済装置１（図５）のシールド４とそのシールド４の正面に配置されるフィルター７に代え、このシールド４とフィルター７とが一体的に形成されたシールド６４を具えている。なお、シールド６４はケース１３内に配置され、かつベース１４に取り付けられる。なお、このシールド６４は、シールド４と同様に中央アンテナ３ａの正面および背面を覆わない。
【００７０】
この実施例２の電子マネー決済装置６１によると、実施例１の電子マネー決済装置１で述べたように、限られた範囲内に複数のアンテナを設置して電子マネー記憶媒体との通信を行う電子マネー決済装置において、利用者が使用する領域が望ましいものとなり、利用し易くすることができる。
また、実施例２の電子マネー決済装置６１によると、実施例１の電子マネー決済装置１で述べたように、利用者が電子マネー記憶媒体８１をかざした際に、どの電子マネーの種別を選択した状態にあるのかを容易に確認でき、電子マネー選択の操作を誤るおそれを可及的に少なくすることができ、また、利用者が選択機能時間を把握することができるので、利用者が電子マネー選択の操作を誤るおそれを可及的に少なくすることができる。
【００７１】
さらに、実施例２の電子マネー決済装置６１は、シールド４とフィルター７が一体的に形成されたシールド６４を、ベース１４に取り付けるようにしたので、第１実施例の電子マネー決済装置１に比べ、ベース１４への部品の取り付けが簡単となる。また、実施例２の電子マネー決済装置６１では、実施例１の電子マネー決済装置１に比べて、部品点数が１つ減るので、製造コストを低下させることができる。
【００７２】
上記実施例１及び実施例２では、電子マネー決済装置１、６１は自動販売機１０１に取り付けられるものとして説明したが、この発明の電子マネー決済装置は、電子データ記憶媒体と非接触で通信を行うリーダライタ装置であって複数種の種別に対応する３つのアンテナ３ｂ、３ａ、３ｃを具えたものであればよく、自動販売機に取り付けられるものに限らない。
【産業上の利用可能性】
【００７３】
自動販売機の電子マネー決済装置に限らず、限られた範囲内に複数のアンテナを設置して記憶媒体との通信を行う装置として、利用者が電子マネーの種別選択に使用する領域が望ましく、利用し易いリーダライタ装置を提供できる。
【符号の説明】
【００７４】
１、６１…電子マネー決済装置
３ｂ、３ａ、３ｃ…３つのアンテナ
３ａ…中央アンテナ
３ｂ、３ｃ…側方アンテナ
４、６４…シールド
７…フィルター
８…スリット
１０ａ…側方アンテナの、中央アンテナが配置されている側の端
４１…制御部
５１…電子マネー発光表示部
５５…発光インジケータ部
８１…電子マネー記憶媒体
Ｂ、Ａ、Ｃ…アンテナのそれぞれに対応した電子マネーの種別
【図１】
2011197930.tif 000003
【図２】
2011197930.tif 000004
【図４】
2011197930.tif 000005
【図５】
2011197930.tif 000006
【図６】
2011197930.tif 000007
【図８】
2011197930.tif 000008
【図９】
2011197930.tif 000009
【図１０】
2011197930.tif 000010
【図３】
2011197930.tif 000011
【図７】
2011197930.tif 000012